(57)【要約】【課題】操作ノブを抜け止めするための操作ノブの取付構造を提供する。【解決手段】操作ノブの取付構造は、取付片５３を有する操作ノブ５と、操作ノブ５を支持部材に支持するノブ固定部材２３とを備えている。ノブ固定部材２３は、操作ノブ５の内部を嵌入させる筒部２４と、筒部２４に形成された係止片２６とを有している。係止片２６の自由端部に外方に向けて下傾斜させた係止爪片２９は、取付片５３に形成した取付孔５４に係合される。【選択図】図２
2019016136.tif 000002
【特許請求の範囲】
【請求項１】
取付片を有する操作ノブと、前記操作ノブを支持部材に支持するノブ固定部材とを備え、
前記ノブ固定部材は、前記操作ノブの内部を嵌入させる筒部と、前記筒部に形成された係止片とを有し、
前記係止片の自由端部に外方に向けて下傾斜させた係止爪片が、前記取付片に形成した取付孔に係合されることを特徴とする操作ノブの取付構造。
【請求項２】
前記ノブ固定部材は、前記係止爪片と前記取付孔とを受け入れる貫通孔が形成された突出部を前記筒部に有する請求項１に記載の操作ノブの取付構造。
【請求項３】
前記支持部材は、レバースイッチの操作レバーであり、
前記ノブ固定部材は、前記操作レバーのレバー本体に回転可能に取り付けられる請求項１又は２に記載の操作ノブの取付構造。
【発明の詳細な説明】
【技術分野】
【０００１】
本発明は、操作ノブの取付構造に係り、特に、操作ノブの抜け止め構造に関する。
【背景技術】
【０００２】
レバースイッチの一例としては、自動車用のコンビネーションレバースイッチがある（例えば、特許文献１参照）。
【０００３】
上記特許文献１に記載されたコンビネーションレバースイッチは、操作レバーの軸方向先端部に回動可能に設けられた筒状のレバー／ノブ連結材に有底円筒状のライトスイッチノブを備えている。
【０００４】
レバー／ノブ連結材の筒部は、軸方向に延びる２本のスリットに挟まれた部分を係止片としている。係止片には、自由端部の先端から外方に突出する爪が形成されている。ライトスイッチノブの筒部内周面には、係止凹部が形成されている。
【０００５】
レバー／ノブ連結材にライトスイッチノブを固定する取付構造は、ライトスイッチノブをレバー／ノブ連結材に押し込んで、レバー／ノブ連結材の係止片の爪にライトスイッチノブの係止凹部を嵌め込み係止させることにより、ライトスイッチノブとレバー／ノブ連結材とを一体に回動するように取り付けている。
【先行技術文献】
【特許文献】
【０００６】
【特許文献１】特開２０１１−２１０５９８号公報
【発明の概要】
【発明が解決しようとする課題】
【０００７】
上記特許文献１に記載のコンビネーションレバースイッチにおけるライトスイッチノブの取付構造は、ライトスイッチノブの筒部内周面に係止凹部を設ける一方、レバー／ノブ連結材に係止片の爪を設けることで、係止片の爪に係止凹部を嵌め込み係止させる構造である。その構造上、レバー／ノブ連結材の係止片は内方に撓むように可撓性を有している。
【０００８】
このような取付構造は、ライトスイッチノブに引き抜き方向の力が作用すると、レバー／ノブ連結材の係止片が内方に撓んで係止状態を保てなくなり、係止片の爪がライトスイッチノブの係止凹部から抜け出てしまう場合がある。その結果、ライトスイッチノブが操作レバーから外れるという問題があった。
【０００９】
従って、本発明の目的は、操作ノブを抜け止めするための操作ノブの取付構造を提供することにある。
【課題を解決するための手段】
【００１０】
上記目的を達成するために、本発明は、取付片を有する操作ノブと、前記操作ノブを支持部材に支持するノブ固定部材とを備え、前記ノブ固定部材は、前記操作ノブの内部を嵌入させる筒部と、前記筒部に形成された係止片とを有し、前記係止片の自由端部に外方に向けて下傾斜させた係止爪片が、前記取付片に形成した取付孔に係合されることを特徴とする操作ノブの取付構造を主要な構成としている。
【００１１】
また、本発明に係る操作ノブの取付構造において、前記ノブ固定部材は、前記係止爪片と前記取付片とを受け入れる貫通孔が形成された突出部を前記筒部に有することが好ましい。
【００１２】
更に、本発明に係る操作ノブの取付構造において、前記支持部材は、レバースイッチの操作レバーであり、前記ノブ固定部材は、前記操作レバーのレバー本体に回転可能に取り付けられることが好ましい。
【発明の効果】
【００１３】
本発明によれば、操作ノブに引き抜き方向の力が加わっても、ノブ固定部材の筒部の外方に向けて下傾斜した係止爪片が操作ノブの取付片の取付孔から抜け出る方向の動きを規制するため、支持部材に対して操作ノブを抜け止めすることができる。
【図面の簡単な説明】
【００１４】
【図１】本発明の実施の形態に係る操作ノブの取付構造を備えたレバースイッチの一例を模式的に示す斜視図である。
【図２】図１に示すレバースイッチの内部構造を説明するための要部断面図である。
【図３】図２の点線で囲んだ領域の要部拡大図である。
【発明を実施するための形態】
【００１５】
本発明の操作ノブの取付構造に係る実施の形態について、以下に添付図面を参照して説明する。
【００１６】
（レバースイッチの構成）
図１において、本実施の形態に係る典型的なレバースイッチ１は、例えば、自動車等の車両のステアリングコラムから側方に突出するコンビネーションレバースイッチの操作レバー２を備えている。操作レバー２は、２つの分割ケースを組み合わせて筒状に形成されたレバーケース３を備えている。
【００１７】
レバースイッチ１には、ステアリングコラム内に支持固定されるスイッチケース４が備えられている。スイッチケース４には、操作レバー２の基端部が回転軸線Ｌ１を回転中心として前後方向に揺動可能に設けられるとともに、回転軸線Ｌ２を回転中心として上下方向に揺動可能に設けられている。
【００１８】
スイッチケース４の内部には、操作レバー２の前後上下方向の揺動操作によりウインカ、パッシングやディマー等に切り替えるための図示しない接点機構や節度機構等が内蔵されている。なお、これらの機構については公知のものと同等であるため、その説明は省略する。
【００１９】
操作レバー２の先端部には、筒状の操作ノブ５が備えられている。操作ノブ５は、回転軸線Ｌ３を回転中心としてテールライト及びヘッドライトを消灯するオフ位置、テールライトを点灯するテール位置、並びにヘッドライトを点灯するヘッド位置に回転可能とされている。
【００２０】
操作レバー２のレバーケース３の内部には、操作ノブ５の回転軸線Ｌ３を回転中心とする回転操作により固定接点と可動接点との接離を切り替えるための図示しない内機部品が内蔵されている。なお、これらの内機部品については公知であり、その説明は省略する。
【００２１】
図２に示すように、操作ノブ５は、外装となる外筒５１と、この外筒５１内に並べて一体形成された内筒５２とからなる内外二重筒構造を有している。内筒５２の基端側開放端には、互いに相対して対をなす一対の取付片５３，５３が形成されている。
【００２２】
操作ノブ５の内筒５２の先端側開放端には、スイッチを作動する筒状の押圧ノブあるいは装飾キャップ等のカバー６が取り付けられている。カバー６と操作ノブ５との間には、リング状のスペーサ７が介在されている。なお、操作ノブ５の押圧ノブを押圧操作により固定接点と可動接点との接離を切り替えるための内機部品については公知であり、その説明は省略する。
【００２３】
操作レバー２には、筒状のレバー軸を有するレバー本体２１が設けられている。レバー本体２１の内部には、スイッチケース４側の接点と操作ノブ５側の接点とを電気的に接続する図示しないフレキシブル配線基板等の内機部品が内蔵されている。なお、この内機部品についても公知であり、その説明は省略する。
【００２４】
レバー本体２１には、操作ノブ５を連結する筒状のレバー連結部材２２と、操作ノブ５を支持固定する筒状のノブ固定部材２３とが設けられている。
【００２５】
レバー連結部材２２は、レバー本体２１の外周面に係止する爪部２２ａと、レバーケース３の内周面に係止するリング状のフランジ部２２ｂとを有している。レバー連結部材２２の内周面は、ノブ固定部材２３の外周面と同心上に並んで配置されており、ノブ固定部材２３を回転可能に保持するとともに、操作ノブ５の操作位置を保持している。
【００２６】
（操作ノブ抜け抑制部の構成）
ノブ固定部材２３は、操作ノブ５を抜け止めするための両側一対の操作ノブ抜け抑制部を有している。なお、両側一対の操作ノブ抜け抑制部の構造は、実質的に同一構造を有しているので、以下の説明では、ノブ固定部材２３の片側の構造及び部材を説明する。
【００２７】
図２及び図３に示すように、ノブ固定部材２３は、レバー本体２１の外周面に回転可能に装着される筒部２４を有している。筒部２４の基端両側には、平行なスリット２５を形成して、相対する一対の係止片２６，２６が形成されている。係止片２６の板厚は、筒部２４の先端側から基端に向けて徐々に小さくなるようにテーパ状に形成されている。
【００２８】
ノブ固定部材２３の係止片２６は、直立片の自由端部を外側に向けて湾曲させてスカート状に下傾斜した係止爪片２９を有している。この下傾斜した係止爪片２９は、操作ノブ５の取付片５３の自由端部に形成された取付孔５４に係合するようになっている。
【００２９】
このような係止片２６は、レバー本体２１によって弾性的な縮径を阻害されることなく、操作ノブ５の取付片５３の自由端部に形成された取付孔５４の周縁部にスナップフィットして係止する。この構成により、操作ノブ５がレバー軸周りに回転すると、ノブ固定部材２３もレバー軸周りに回転するようになっている。
【００３０】
ノブ固定部材２３には、平行なスリット２５の周辺に対応する筒部２４の基端側開口縁から略直角に外方に屈曲して、筒部２４の両側に互いに相対して対をなす一対の突出部２７，２７が突設されている。この突出部２７は、操作ノブ５の取付片５３とノブ固定部材２３の係止片２６とを囲い込む凹枠状に形成されている。
【００３１】
図３に拡大して示すように、ノブ固定部材２３の突出部２７には、平行なスリット２５に連通する貫通孔２８が貫通して形成されている。この貫通孔２８は、操作ノブ５の取付片５３及びノブ固定部材２３の係止片２６を受け入れるための受容部として構成されている。
【００３２】
図示例にあっては、ノブ固定部材２３の突出部２７に形成された貫通孔２８には、操作ノブ５の取付片５３の自由端部に形成された取付孔５４と、ノブ固定部材２３の係止片２６の自由端部に下傾斜して形成された係止爪片２９とが貫通して配置されている。ノブ固定部材２３の貫通孔２８に操作ノブ５の取付片５３を受け入れることにより、取付片５３の自由端部は、係止片２６から必要以上に力を受けて外側に撓まないように規制される。
【００３３】
操作ノブ５に引き抜き方向の力が作用する過程においては、操作ノブ５の取付片５３に形成された取付孔５４の開口端が、ノブ固定部材２３の係止片２６の自由端部に下傾斜して形成された係止爪片２９の内面に当接する。ノブ固定部材２３の係止爪片２９が操作ノブ５の取付孔５４と接触して力Ｆ１を受けることになり、ノブ固定部材２３の係止片２６と操作ノブ５の取付片５３とには外方向の力Ｆ２が加えられる。
【００３４】
ノブ固定部材２３の係止片２６と操作ノブ５の取付片５３とに外方向の力Ｆ２が作用することで、係止片２６に下傾斜して形成された係止爪片２９の内方の動きが規制される。係止片２６と取付片５３とは内側に撓まないため、係止片２６と取付片５３とが内側に変位しない。従って、取付孔５４からの係止爪片２９の抜けが抑制され、係止片２６が取付片５３から外れて抜け出るという不具合が生じることを抑制できる。
【００３５】
更に、ノブ固定部材２３の突出部２７により、操作ノブ５の取付片５３の外方への撓み変形を抑制することができる。そのため、操作ノブ５の取付片５３をノブ固定部材２３の突出部２７に形成された貫通孔２８に保持したままの状態に維持することができる。
【００３６】
上記のように構成された操作ノブ抜け抑制部は、係止片２６の自由端部に下傾斜して形成された係止爪片２９と、突出部２７に形成された貫通孔２８とを有するノブ固定部材２３により、操作ノブ５の取付片５３に形成された取付孔５４に対する係止爪片２９の抜け方向の動きを規制して、操作ノブ５の抜けを抑制する。
【００３７】
（実施の形態の効果）
以上のように構成された操作ノブ５の取付構造は、ノブ固定部材２３の外方に向けて下傾斜した係止爪片２９が操作ノブ５の取付孔５４から抜け出る方向の動きを規制する操作ノブ抜け抑止部を備えた構成に特徴部を有しており、上記効果に加えて、次の効果が得られる。
【００３８】
操作ノブ５を引き抜くという操作に対して、ノブ固定部材２３の係止片２６が内側に撓まないようにすることができる。そのため、操作ノブ５が操作レバー２から外れて抜けない構造とすることができる。
【００３９】
なお、上記実施の形態及び図示例では、自動車のヘッドランプやフォグランプなどの点灯消灯状態の切り替えを行うライト系スイッチを備えたコンビネーションレバースイッチを例示したが、これに限定されるものではない。ワイパを操作するワイパ系スイッチなどの他の用途を備えたコンビネーションレバースイッチにも適用することができる。
【００４０】
また、上記実施の形態及び図示例による操作ノブ５の取付構造は、支持部材となる操作レバー２に支持される操作ノブ５を例示したが、これに限定されるものではなく、操作レバー２以外の支持部材に支持される操作ノブ５を有する各種のスイッチに適用できることは勿論である。
【００４１】
以上の説明からも明らかなように、本発明に係る代表的な実施の形態及び図示例を例示したが、上記実施の形態及び図示例は特許請求の範囲に係る発明を限定するものではない。従って、上記実施の形態及び図示例の中で説明した特徴の組合せの全てが発明の課題を解決するための手段に必須であるとは限らない点に留意すべきである。
【符号の説明】
【００４２】
１…レバースイッチ、２…操作レバー、３…レバーケース、４…スイッチケース、５…操作ノブ、６…カバー、７…スペーサ、２１…レバー本体、２２…レバー連結部材、２２ａ…爪部、２２ｂ…フランジ部、２３…ノブ固定部材、２４…筒部、２５…スリット、２６…係止片、２７…突出部、２８…貫通孔、２９…係止爪片、５１…外筒、５２…内筒、５３…取付片、５４…取付孔、Ｆ１，Ｆ２…力、Ｌ１，Ｌ２，Ｌ３…回転軸線
【図１】
2019016136.tif 000003
【図２】
2019016136.tif 000004
【図３】
2019016136.tif 000005